(57)【要約】【課題】短い時間で必要な周辺の複数の周波数における無線伝搬状況を測定する。【解決手段】本発明に係る無線基地局ＢＴＳは、所定順序で、複数の周波数Ｆ１乃至Ｆ４における無線伝搬状況を測定するように構成されている測定部１１と、測定部１１によって測定された無線伝搬状況のうち、最も良好な無線伝搬状況を有する周波数を決定するように構成されている周波数決定部１２とを具備し、測定部１１は、所定条件が満たされたと判定した場合に、残りの周波数における無線伝搬状況の測定を中止するように構成されている。【選択図】図５
2011004122.tif 000002
【特許請求の範囲】
【請求項１】
所定順序で、複数の周波数における無線伝搬状況を測定するように構成されている測定部と、
前記測定部によって測定された前記無線伝搬状況のうち、最も良好な無線伝搬状況を有する周波数を決定するように構成されている周波数決定部とを具備し、
前記測定部は、所定条件が満たされたと判定した場合に、残りの周波数における無線伝搬状況の測定を中止するように構成されていることを特徴とする無線基地局。
【請求項２】
前記決定部によって決定された前記周波数における測定結果に基づいて、運用パラメータを決定するように構成されているパラメータ決定部を具備することを特徴とする請求項１に記載の無線基地局。
【請求項３】
前記測定部は、前記所定順序において、前回の測定結果に基づいて、前記所定順序を決定するように構成されていることを特徴とする請求項１又は２に記載の無線基地局。
【発明の詳細な説明】
【技術分野】
【０００１】
本発明は、無線基地局に関する。
【背景技術】
【０００２】
プラグアンドプレイ方式で運用パラメータ（無線パラメータ）を設定することができる無線基地局は、最適な運用パラメータを選択するために、周辺の無線伝搬状況を測定するように構成されている。
【先行技術文献】
【特許文献】
【０００３】
【特許文献１】特開２００７-３２９７５８号公報
【発明の概要】
【発明が解決しようとする課題】
【０００４】
かかる無線基地局において、周辺の無線伝搬状況を測定している間はサービス断となってしまう。
【０００５】
そのため、最適な運用パラメータを選択する際のような周辺の複数の周波数における無線伝搬状況を測定する際に、測定対象となる周波数の個数に応じてサービス断の時間が長くなってしまうという問題点があった。
【０００６】
例えば、各周波数での実際の無線伝搬状況が、図６（ｂ）であるような場合、かかる無線基地局は、周波数Ｆ１乃至Ｆ４における無線伝搬状況を順番に測定し、かかる測定結果に基づいて、周波数Ｆ１を選択するように構成されている。この場合、結果的には、Ｆ１のみの測定で十分であったにもかかわらず、Ｆ２〜Ｆ４の測定を行うことにより、サービス断の時間が長くなってしまう。
【０００７】
そこで、本発明は、上述の課題に鑑みてなされたものであり、短い時間で、必要な周辺の複数の周波数における無線伝搬状況を測定することができる無線基地局を提供することを目的とする。
【課題を解決するための手段】
【０００８】
本発明の第１の特徴は、無線基地局であって、所定順序で、複数の周波数における無線伝搬状況を測定するように構成されている測定部と、前記測定部によって測定された前記無線伝搬状況のうち、最も良好な無線伝搬状況を有する周波数を決定するように構成されている周波数決定部とを具備し、前記測定部は、所定条件が満たされたと判定した場合に、残りの周波数における無線伝搬状況の測定を実施しないように構成されていることを要旨とする。
【発明の効果】
【０００９】
以上説明したように、本発明によれば、短い時間で、周辺の無線伝搬状況を測定し、周波数やその他の運用パラメータを決定することができる無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局による測定方法を説明するための図である。
【図４】本発明の第１の実施形態に係る無線基地局による測定方法を説明するための図である。
【図５】本発明の第１の実施形態に係る無線基地局の動作を示すシーケンス図である。
【図６】従来の無線基地局の動作を示す図である。
【発明を実施するための形態】
【００１１】
（本発明の第１の実施形態に係る移動通信システムの構成）
図１乃至図３を参照して、本発明の第１の実施形態に係る移動通信システムの構成について説明する。
【００１２】
図１に示すように、本実施形態に係る移動通信システムでは、無線基地局ＢＴＳの周辺に、セル＃１乃至セル＃６を管理している複数の無線基地局が設けられている。
【００１３】
なお、セル＃１及びセル＃５では、周波数Ｆ１が使用されており、セル＃２において、周波数Ｆ２が使用されており、セル＃３、セル＃４及びセル＃６において、周波数Ｆ３が使用されている。
【００１４】
図２に示すように、無線基地局ＢＴＳは、測定部１１と、周波数決定部１２とを具備する。さらに、無線基地局ＢＴＳは、パラメータ決定部１３を具備してもよい。
【００１５】
測定部１１は、所定順序で、周辺の複数の周波数Ｆ１乃至Ｆ４における無線伝搬状況を測定するように構成されている。例えば、測定部１１は、かかる無線伝搬状況として、各パスのパイロットチャネルのＲＳＣＰやＥｃ/Ｎ０やスクランブリングコードや報知情報等を取得するように構成されていてもよいし、該当する周波数のＲＳＳＩ等の干渉量を取得するように構成されていてもよい。
【００１６】
ここで、測定部１１は、所定順序で、周波数Ｆ１乃至Ｆ４における無線伝搬状況を測定する。そして、測定部１１は、周波数Ｆ１乃至Ｆ４の中で無線伝搬状況が最も良好である周波数を選択する。
【００１７】
ただし、測定部１１は、周波数Ｆ１乃至Ｆ４における無線伝搬状況を測定する途中で、所定条件を満たす周波数が存在すると判定した場合に、残りの周波数における無線伝搬状況の測定を実施しないように構成されている。
【００１８】
例として、無線伝搬状況が未測定の周波数が存在しても測定を終了する条件が「該当する周波数の無線伝搬状況が「良い」又は「最高」であること」である場合で、かつ、周波数の測定順序が「Ｆ１→Ｆ２→Ｆ３→Ｆ４」である場合について、以下に示す。
【００１９】
第１のケースとして、各周波数での実際の無線伝搬状況が、図３（ｂ）であるような場合、図３（ａ）に示すように、測定部１１は、周波数Ｆ１乃至Ｆ４の無線伝搬状況の測定を実施する。
【００２０】
そして、周波数決定部１２は、周波数Ｆ１乃至Ｆ４の中で最も無線伝搬状況が良好である周波数Ｆ２を選択する。
【００２１】
第２のケースとして、各周波数での実際の無線伝搬状況が図４（ｂ）であるような場合、図４（ａ）に示すように、測定部１１は、周波数Ｆ１及びＦ２における無線伝搬状況の測定を完了した時点で、所定条件が満たす周波数（Ｆ２）が存在したと判定し、残りの周波数Ｆ３及びＦ４における無線伝搬状況の測定を実施しない。
【００２２】
そして、周波数決定部１２は、周波数Ｆ２を選択する。
【００２３】
なお、無線基地局ＢＴＳが、かかる無線伝搬状況の測定を定期的に実施する場合、測定部１１は、前回の測定結果に基づいて、周波数の測定順序を変更してもよい。
【００２４】
例えば、測定部１１は、前回、周波数決定部１２によって決定された周波数を、最初の測定対象周波数とするように構成されていてもよいし、前回の測定結果が良好な順に測定を実施してもよい。
【００２５】
無線基地局ＢＴＳが、パラメータ決定部１３を具備する場合、パラメータ決定部１３は、周波数決定部１２によって決定された周波数における測定結果に基づいて、無線基地局ＢＴＳの運用パラメータを決定するように構成されている。
【００２６】
具体的には、パラメータ決定部１３は、無線基地局ＢＴＳの運用パラメータとして、無線基地局ＢＴＳ配下のセルで用いられるスクランブリングコードや送信電力等を決定するように構成されていてもよい。
【００２７】
例えば、パラメータ決定部１３は、無線基地局ＢＴＳ配下のセルで用いられるスクランブリングコードを、最も良好な無線伝搬状況を有する周波数内で未使用のスクランブリングコードとし、パイロットチャネルのＲＳＣＰの合計値に応じて、送信電力を決定するように構成されていてもよい。
【００２８】
無線基地局ＢＴＳが、パラメータ決定部１３を具備しない場合、無線基地局ＢＴＳは、上述の測定結果を上位装置に通知するのみで、パラメータの決定は、上位装置によって実施されるように構成されていてもよい。
【００２９】
（本発明の第１の実施形態に係る移動通信システムの動作）
以下、図５を参照して、本実施形態に係る移動通信システムの動作、特に、本実施形態に係る無線基地局ＢＴＳの測定部１１及び周波数決定部１２の動作について説明する。
【００３０】
図５に示すように、無線基地局ＢＴＳは、周辺の周波数における無線伝搬状況の測定を開始すると、ステップＳ１０１において、無線伝搬状況を未だ測定していない周波数の中から、測定を行う周波数を選択する。
【００３１】
ステップＳ１０２において、無線基地局ＢＴＳは、測定対象周波数における無線伝搬状況を測定する。
【００３２】
ステップＳ１０３において、無線基地局ＢＴＳは、ステップＳ１０２において測定した無線伝搬状況が、所定条件を満たすか否かについて判定する。
【００３３】
所定条件を満たすと判定された場合、本動作は、ステップＳ１０５に進み、所定条件を満たさないと判定された場合、本動作は、ステップＳ１０４に進む。
【００３４】
ステップＳ１０４において、無線基地局ＢＴＳは、無線伝搬状況を未だ測定していない周波数が存在するか否かについて判定する。
【００３５】
存在すると判定された場合、本動作は、ステップＳ１０１に戻り、存在しないと判定された場合、本動作は、ステップＳ１０５に進む。
【００３６】
ステップＳ１０５において、無線基地局ＢＴＳは、測定部１１によって測定されたうちの最も良好な無線伝搬状況を有する周波数を該当無線基地局の使用する周波数と決定する。
【００３７】
（本発明の第１の実施形態に係る移動通信システムの作用・効果）
本発明の第１の実施形態に係る移動通信システムによれば、無線基地局ＢＴＳは、所定順序で、複数の周波数Ｆ１乃至Ｆ４における無線伝搬状況を測定している際に、所定条件が満たされたと判定した場合に、残りの周波数における無線伝搬状況の測定を実施しないように構成されているため、短い時間で必要な周辺の複数の周波数における無線伝搬状況を測定し、周波数やその他の運用パラメータを決定することができ、サービス断の時間も短縮することができる。
【００３８】
以上に述べた本実施形態の特徴は、以下のように表現されていてもよい。
【００３９】
本実施形態の第１の特徴は、無線基地局ＢＴＳであって、所定順序で、複数の周波数Ｆ１乃至Ｆ４における無線伝搬状況を測定するように構成されている測定部１１と、測定部１１によって測定された無線伝搬状況に基づいて、周波数を決定するように構成されている周波数決定部１２とを具備し、測定部１１は、所定条件が満たされたと判定した場合に、残りの周波数における無線伝搬状況の測定を実施しないように構成されていることを要旨とする。
【００４０】
本実施形態の第１の特徴において、周波数決定部１２によって決定された周波数における測定結果に基づいて、運用パラメータを決定するように構成されているパラメータ決定部１３を具備してもよい。
【００４１】
本実施形態の第１の特徴において、測定部１１は、所定順序において、前回の測定結果に基づいて、次回の測定順序を決定するように構成されていてもよい。
【００４２】
なお、上述の無線基地局ＢＴＳの動作は、ハードウェアによって実施されてもよいし、プロセッサによって実行されるソフトウェアモジュールによって実施されてもよいし、両者の組み合わせによって実施されてもよい。
【００４３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＴＳ内に設けられていてもよい。また、かかる記憶媒体及びプロセッサは、ディスクリートコンポーネントとして無線基地局ＢＴＳ内に設けられていてもよい。
【００４５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４６】
ＢＴＳ…無線基地局
１１…測定部
１２…周波数決定部
１３…パラメータ決定部
【図１】
2011004122.tif 000003
【図２】
2011004122.tif 000004
【図３】
2011004122.tif 000005
【図４】
2011004122.tif 000006
【図５】
2011004122.tif 000007
【図６】
2011004122.tif 000008